(57)【要約】【課題】脚部の筐体からの突出量を容易に判断することができ、光学像の投射方向の調整を容易に行うことができるプロジェクタの提供。【解決手段】プロジェクタ２は、外装ケース４を備える。外装ケース４には、各調整脚部４３が設けられる。各調整脚部４３は、外装ケース４から突没して光学像の投射方向を傾斜させるものであり、外装ケース４の底面部から面外方向に突没自在に構成される軸部４３１を備える。軸部４３１には、外装ケース４からの突出方向に沿って所定間隔ごとに複数の領域が設けられ、各領域には、それぞれ異なる色が付されている。したがって、プロジェクタ２の使用者は、各調整脚部４３の突出量に応じて外装ケース４から露出する色のうち、最も外装ケース４側にある色を確認することにより、各調整脚部４３の突出量を容易に判断することができ、プロジェクタ２から投射される光学像の投射方向の調整を容易に行うことができる。【選択図】図３
2008209472.tif 000002
【特許請求の範囲】
【請求項１】
光源装置と、前記光源装置から射出される光を画像情報に応じて変調して光学像を形成する光変調装置と、形成された光学像を投射面に拡大投射する投射光学装置と、これらを内部に収納する筐体とを備えたプロジェクタであって、
前記筐体は、
当該筐体から突没して前記光学像の投射方向を傾斜させる脚部を備え、
前記脚部には、前記筐体からの突出方向に沿って所定間隔ごとに複数の領域が設けられ、当該各領域には、隣接する他の領域とは異なる標識が付されることを特徴とするプロジェクタ。
【請求項２】
請求項１に記載のプロジェクタにおいて、
前記各標識は、それぞれ異なる色であることを特徴とするプロジェクタ。
【請求項３】
請求項１または請求項２に記載のプロジェクタにおいて、
前記脚部の突出量と、当該突出量に応じて前記筐体から露出する前記各標識のうち、最も筐体側にある標識とが関連付けられた露出標識情報を記憶する記憶手段と、
当該プロジェクタ全体を制御する制御手段とを備え、
前記制御手段は、
前記光学像の投射方向の傾斜により前記投射面に表示される画像に生じる台形歪みを補正する台形補正部と、
前記台形補正部による補正量を設定させる設定画面を生成する画面生成部とを備え、
前記設定画面には、前記突出量に応じた前記補正量を示す補正用マーカーが、当該突出量に応じて前記露出標識情報に関連付けられた標識で設定されることを特徴とするプロジェクタ。
【請求項４】
請求項３に記載のプロジェクタにおいて、
前記突出量を検出する検出手段と、
前記制御手段に所定の動作を実行させる操作信号を出力する操作手段とを備え、
前記制御手段は、
前記操作信号に基づいて前記補正量を取得する補正量取得部と、
前記操作信号に基づいて前記検出手段に前記突出量を検出させる突出量検出部と、
前記突出量検出部により検出された突出量に応じて前記露出標識情報に関連付けられた標識を取得する標識取得部と、
前記補正量取得部により取得された補正量と、前記標識取得部により取得された標識とを関連付けて前記記憶手段に補正量情報として記憶させる補正量記憶部と、
前記補正量情報に基づいて、前記画面生成部に、前記補正用マーカーを設定させるマーカー設定部とを備えることを特徴とするプロジェクタ。
【請求項５】
請求項１から請求項４のいずれかに記載のプロジェクタと、
前記光学像が投射されるスクリーンとを備えるプロジェクションシステムであって、
前記スクリーンには、前記脚部の突出量に応じた投射領域を示す投射領域用マーカーが、当該突出量に応じて前記筐体から露出する前記各標識のうち、最も筐体側にある標識で設定されていることを特徴とするプロジェクションシステム。
【発明の詳細な説明】
【技術分野】
【０００１】
本発明は、プロジェクタおよび当該プロジェクタを備えるプロジェクションシステムに関する。
【背景技術】
【０００２】
従来、入力される画像情報に応じて光学像を形成し、形成された光学像をスクリーンに投射するプロジェクタが知られている。
このようなプロジェクタは、スクリーンに投射される光学像の投射領域を調整するために、プロジェクタの筐体から突没することにより光学像の投射方向を傾斜させる脚部を有している（例えば、特許文献１参照）。
特許文献１に記載のプロジェクタでは、筐体の底面における光学像の投射方向前方側の２箇所に、ねじ軸を有する脚部が設けられている。そして、各脚部を、ねじ軸を中心として回転させることにより脚部を筐体から突没させて光学像の投射方向を傾斜させている。
【０００３】
【特許文献１】特開２００５−４３５９７号公報
【発明の開示】
【発明が解決しようとする課題】
【０００４】
しかしながら、特許文献１に記載のプロジェクタでは、各脚部に目盛や印などがないので、プロジェクタの使用者は、各脚部の筐体からの突出量を容易に判断することができず、光学像の投射方向の調整を感覚的に行わなければならないという問題があった。したがって、過去にプロジェクタを設置した状態と同じ状態に設置することが困難である、他の使用者にプロジェクタの設置状態を明確に指示することが困難である等という問題があった。さらに、特許文献１に記載のプロジェクタのように、突没する脚部が２箇所以上に設けられている場合には、感覚的に各脚部の突出量を調整することとなり、プロジェクタを水平な状態に保つことが困難であるという問題があった。
【０００５】
本発明の目的は、脚部の筐体からの突出量を容易に判断することができ、光学像の投射方向の調整を容易に行うことができるプロジェクタおよび当該プロジェクタを備えるプロジェクションシステムを提供することにある。
【課題を解決するための手段】
【０００６】
本発明のプロジェクタは、光源装置と、前記光源装置から射出される光を画像情報に応じて変調して光学像を形成する光変調装置と、形成された光学像を投射面に拡大投射する投射光学装置と、これらを内部に収納する筐体とを備えたプロジェクタであって、前記筐体は、当該筐体から突没して前記光学像の投射方向を傾斜させる脚部を備え、前記脚部には、前記筐体からの突出方向に沿って所定間隔ごとに複数の領域が設けられ、当該各領域には、隣接する他の領域とは異なる標識が付されることを特徴とする。
【０００７】
ここで、標識とは、プロジェクタの使用者が容易に各領域を認識することができる目印のことであり、例えば、色、模様、数字等を例示することができる。
したがって、このような構成によれば、プロジェクタの脚部には、筐体からの突出方向に沿って所定間隔ごとに複数の領域が設けられ、各領域には隣接する他の領域とは異なる標識が付されるので、プロジェクタの使用者は、脚部の突出量に応じて筐体から露出する各標識のうち、最も筐体側にある標識（以下、露出標識とする）を確認することにより、脚部の突出量を容易に判断することができる。
【０００８】
したがって、過去にプロジェクタを設置した状態と同じ状態に設置することが容易となり、他の使用者にプロジェクタの設置状態を明確に指示することが容易となる。さらに、突没する脚部が２箇所以上に設けられている場合であっても、プロジェクタを水平な状態に保つことが容易である。
【０００９】
本発明では、前記各標識は、それぞれ異なる色であることが好ましい。
このような構成によれば、各標識は、それぞれ異なる色であるので、プロジェクタの使用者は、露出標識を確認しやすく、かつ、覚えやすい。したがって、脚部の突出量を更に容易に判断することができる。
【００１０】
本発明では、前記脚部の突出量と、当該突出量に応じて前記筐体から露出する前記各標識のうち、最も筐体側にある標識とが関連付けられた露出標識情報を記憶する記憶手段と、当該プロジェクタ全体を制御する制御手段とを備え、前記制御手段は、前記光学像の投射方向の傾斜により前記投射面に表示される画像に生じる台形歪みを補正する台形補正部と、前記台形補正部による補正量を設定させる設定画面を生成する画面生成部とを備え、前記設定画面には、前記突出量に応じた前記補正量を示す補正用マーカーが、当該突出量に応じて前記露出標識情報に関連付けられた標識で設定されることが好ましい。
【００１１】
このような構成によれば、制御手段は、台形補正部と、画面生成部とを備えるので、プロジェクタの使用者は、台形補正部による補正量を画面生成部により生成される設定画面にて設定することにより、脚部を筐体から突没させて光学像の投射方向を傾斜させた場合に投射面に表示される画像に生じる台形歪みを補正することができる。
【００１２】
そして、設定画面には、突出量に応じた補正量を示す補正用マーカーが、この突出量に応じて露出標識情報に関連付けられた標識で設定される。したがって、プロジェクタの使用者は、プロジェクタの脚部を突没させた場合において、露出標識と同一の標識の補正用マーカーにより示される補正量を設定画面にて設定することができる。例えば、補正用マーカーが、各突出量において投射面に表示される画像を略矩形状とするような補正量を示すように設定されていれば、プロジェクタの使用者は、投射面に表示される画像を容易に略矩形状とすることができる。
【００１３】
本発明では、前記突出量を検出する検出手段と、前記制御手段に所定の動作を実行させる操作信号を出力する操作手段とを備え、前記制御手段は、前記操作信号に基づいて前記補正量を取得する補正量取得部と、前記操作信号に基づいて前記検出手段に前記突出量を検出させる突出量検出部と、前記突出量検出部により検出された突出量に応じて前記露出標識情報に関連付けられた標識を取得する標識取得部と、前記補正量取得部により取得された補正量と、前記標識取得部により取得された標識とを関連付けて前記記憶手段に補正量情報として記憶させる補正量記憶部と、前記補正量情報に基づいて、前記画面生成部に、前記補正用マーカーを設定させるマーカー設定部とを備えることが好ましい。
【００１４】
このような構成によれば、プロジェクタは、使用者による操作手段の操作により、設定画面に対して補正用マーカーを設定することができる。
具体的には、プロジェクタの使用者は、まず、脚部を筐体から突没させて光学像の投射方向を傾斜させる。そして、操作手段を操作することにより、例えば、投射面に表示される画像を略矩形状とするように、設定画面を介して補正量を入力する。
【００１５】
この状態において、プロジェクタの使用者による操作手段の操作により、補正量取得部は、使用者により入力された補正量を取得し、突出量検出部は、検出手段に脚部の突出量を検出させる。そして、標識取得部は、突出量検出部により検出された突出量に応じて露出標識情報に関連付けられた標識を取得し、補正量記憶部は、補正量取得部により取得された補正量と、標識取得部により取得された標識とを関連付けて記憶手段に補正量情報として記憶させる。
【００１６】
したがって、補正量情報には、プロジェクタの使用者による操作手段の操作の際における脚部の突出量に応じた補正量と、この突出量に応じて露出標識情報に関連付けられた標識とが関連付けられている。そして、マーカー設定部は、この補正量情報に基づいて、画面生成部に、補正用マーカーを設定させるので、プロジェクタの使用者は、操作手段を操作することにより、脚部の突出量に対して使用者自らが入力した補正量を示す補正用マーカーを設定画面に設定することができる。
【００１７】
本発明のプロジェクションシステムは、前記光学像が投射されるスクリーンとを備えるプロジェクションシステムであって、前記スクリーンには、前記脚部の突出量に応じた投射領域を示す投射領域用マーカーが、当該突出量に応じて前記筐体から露出する前記各標識のうち、最も筐体側にある標識で設定されていることを特徴とする。
【００１８】
このような構成によれば、プロジェクタと、スクリーンとを所定の位置関係で設置する場合には、プロジェクタの脚部の突出量と、スクリーンに投射される光学像の投射領域とを対応させることができる。したがって、プロジェクションシステムの使用者は、露出標識を確認することにより、任意の投射領域用マーカーが示す投射領域に光学像を容易に投射させることができる。
【発明を実施するための最良の形態】
【００１９】
以下、本発明の一実施形態を図面に基づいて説明する。
〔プロジェクションシステムの構成〕
図１は、プロジェクションシステム１の外観を示す模式図である。
プロジェクションシステム１は、図１に示すように、光源から射出される光を画像情報に応じて変調して光学像を形成し、形成された光学像を投射するプロジェクタ２と、プロジェクタ２から光学像が投射され、投射された光学像に基づく画像が表示されるスクリーン３とを備える。
なお、本実施形態では、プロジェクタ２と、スクリーン３との位置関係は固定されて設置されている。
【００２０】
〔プロジェクタの外観構成〕
図２は、プロジェクタ２を上方前面側から見た斜視図である。
プロジェクタ２は、光源から射出される光を画像情報に応じて変調して光学像を形成し、形成された光学像をスクリーン３に拡大投写するものであり、図２に示すように、略直方体状の外装ケース４と、この外装ケース４から露出する投射レンズ５とを備えている。
投写光学装置としての投射レンズ５は、後述する液晶パネル２１２（図４参照）にて形成される光学像を拡大投射するものであり、鏡筒内に複数のレンズが収納された組レンズとして構成されている。
【００２１】
筐体としての外装ケース４は、平面略矩形形状の合成樹脂製であり、後述する画像投射手段２１（図４参照）を含む装置本体を収納している。
外装ケース４の上面部における後方側略中央部分には、図２に示すように、プロジェクタ２の起動・調整操作を実施する操作パネル４１が左右方向に延びるように設けられている。
操作手段としての操作パネル４１には、メニュー画面を呼び出すメニューボタン（図示略）等を含む操作ボタン４１１が設けられ、この操作ボタン４１１を適宜押下すると、操作パネル４１内部に配置される図示しない回路基板に実装されたタクトスイッチと接触する。これにより、回路基板からは、後述する制御手段２４（図４参照）に所定の動作を実行させる操作信号が出力される。
【００２２】
外装ケース４の側面部には、プロジェクタ２内部を冷却した空気が排出される切り欠き４２が形成され、この切り欠き４２からルーバ４２Ａが露出している。ルーバ４２Ａは、切り欠き４２から排気される空気を整流する。
また、外装ケース４の底面部における前方側長辺方向両端の２箇所位置には、調整脚部４３Ｒ，４３Ｌが設けられるとともに、外装ケース４の前面部における各調整脚部４３の上側近傍位置には、各調整脚部４３の突出量の調整を行うための調整ボタン４４が設けられている。
【００２３】
ここで、図３は、各調整脚部４３を外装ケース４から突出させた状態を示す図である。
脚部としての各調整脚部４３は、外装ケース４から突没して外装ケース４の前面側と、プロジェクタ２の設置面とを離間させることにより、外装ケース４をプロジェクタ２の設置面に対して傾斜させて投射レンズ５から投射される光学像の投射方向を傾斜させるものである。各調整脚部４３は、図３に示すように、外装ケース４の底面部から面外方向に突没自在に構成される軸部４３１と、この軸部４３１の外装ケース４とは反対側の一端に設けられ、プロジェクタ２の設置面に当接される接地部４３２とを備える。
【００２４】
軸部４３１には、外装ケース４からの突出方向に沿って所定間隔ごとに複数の領域が設けられ、各領域には、接地部４３２側から順に、青色４３１Ｂ、緑色４３１Ｇ、黄色４３１Ｙ、赤色４３１Ｒのそれぞれ異なる色が付されている。すなわち、本実施形態においては、各標識は、それぞれ異なる色で構成されている。
【００２５】
調整ボタン４４は、外装ケース４からの各調整脚部４３の突没を規制するものであり、押下されることにより、この規制を解除することができる。また、調整ボタン４４は、各調整脚部４３の突出量を段階的に調整することができる。
具体的には、軸部４３１には、各領域と同じ所定間隔で溝部（図示略）が形成され、調整ボタン４４には、この調整ボタン４４が押下されていない状態において、これらの溝部と係止される係止部（図示略）が設けられている。そして、軸部４３１の溝部および調整ボタン４４の係止部が外装ケース４内部で嵌合することにより外装ケース４からの各調整脚部４３の突没を規制している。なお、調整ボタン４４が押下されると、調整ボタン４４の係止部は、軸部４３１の溝部と嵌合しなくなり、規制が解除されるので、各調整脚部４３は、外装ケース４から突没することができる。
【００２６】
また、軸部４３１の溝部の位置は、各調整脚部４３の各領域が段階的に外装ケース４から露出する位置とされている。すなわち、調整ボタン４４による各調整脚部４３の突没の規制は、軸部４３１の各領域を単位として行われる。例えば、各調整脚部４３の突出量を、１段階目の突出量とした場合には、軸部４３１に付された青色４３１Ｂが外装ケース４から露出する。また、各調整脚部４３の突出量を、２段階目の突出量とした場合には、軸部４３１に付された緑色４３１Ｇが外装ケース４から更に露出する。
なお、以下の説明では、各段階の突出量に応じて外装ケース４から露出する各色のうち、最も外装ケース４側にある色を露出色（露出標識）とする。したがって、前述した１段階目の突出量における露出色は青色であり、２段階目の突出量における露出色は緑色である。
【００２７】
外装ケース４から各調整脚部４３を突出させる場合には、プロジェクションシステム１の使用者は、まず、調整ボタン４４を押下する。これにより、各調整脚部４３の突没の規制が解除され、プロジェクションシステム１の使用者は、各調整脚部４３を外装ケース４の底面部から面外方向へ引き出すことができる。
そして、プロジェクションシステム１の使用者は、任意の色が付された領域が外装ケース４から露出するまで各調整脚部４３を引き出した状態で調整ボタン４４を離す。これにより、軸部４３１の溝部と、調整ボタン４４の係止部とが外装ケース４内部で嵌合して各調整脚部４３の突没が規制され、各調整脚部４３は、任意の突出量で固定される。
【００２８】
〔プロジェクタの内部構成〕
図４は、プロジェクタ２の概略構成を示すブロック図である。
プロジェクタ２は、図４に示すように、画像投射手段２１と、検出手段２２と、記憶手段２３と、制御手段２４とで大略構成されている。
画像投射手段２１は、光源から射出される光を画像データ（画像情報）に応じて変調して光学像を形成し、形成された光学像をスクリーン３に拡大投射するものであり、図４に示すように、光源装置２１１と、液晶パネル２１２と、前述した投射レンズ５とを備える。
【００２９】
光源装置２１１は、超高圧水銀ランプにて構成される光源ランプ２１３を備え、光源ランプ２１３は、光を液晶パネル２１２に向けて射出する。
なお、光源ランプ２１３は、超高圧水銀ランプに限らず、メタルハライドランプ、キセノンランプ等の放電型の光源ランプや、発光ダイオード、レーザダイオード、有機ＥＬ素子、シリコン発光素子等の各種自己発光素子を採用してもよい。
【００３０】
光変調装置としての液晶パネル２１２は、透過型の液晶パネルであり、画像データに基づいて、液晶セル（図示略）に封入された液晶分子の配列を変化させ、光源ランプ２１３から射出された光を、透過若しくは遮断することにより画像データに応じて変調して光学像を形成し、この光学像を投射レンズ５に射出する。
投射レンズ５は、液晶パネル２１２から射出された光学像をスクリーン３に向けて拡大投射する。
【００３１】
なお、図示は省略したが、プロジェクタ２は、光源ランプ２１３から射出される光をＲＧＢ（Red Green Blue）の３色の光に分離する色光分離光学系を備えている。また、プロジェクタ２は、ＲＧＢの３色に対応する３枚の液晶パネル２１２を備えている。さらに、プロジェクタ２は、３色の光学像を合成してカラー画像を表す光学像を生成する合成光学系を備えている。なお、このような光学系の構成については、種々の一般的なプロジェクタの光学系の構成が利用可能である。
【００３２】
検出手段２２は、各調整脚部４３の外装ケース４からの突出量を検出するものであり、例えば、リニアエンコーダを各調整脚部４３に接続すること等により構成することができる。検出手段２２により検出される各調整脚部４３の突出量は、後述する制御手段２４に出力される。
【００３３】
記憶手段２３は、制御手段２４が所定の処理を実行するためのプログラムやデータ等を記憶する他、各調整脚部４３の突出量と、各突出量に応じて外装ケース４から露出する各色のうち、最も外装ケース４側にある色、すなわち、露出色とが関連付けられた露出色情報（露出標識情報）を記憶する。
具体的には、露出色情報における各調整脚部４３の突出量は、各調整脚部４３が外装ケース４から何段階目まで突出しているかを示す情報である。したがって、露出色情報には、突出量の段階を示す情報と、各段階における露出色とが関連付けられている。例えば、本実施形態では、１段階目の突出量を示す情報と、青色とが関連付けられ、２段階目の突出量を示す情報と、緑色とが関連付けられている。
【００３４】
制御手段２４は、例えば、ＣＰＵ（Central Processing Unit）等を含んで構成され、プロジェクタ２全体を制御する部分であり、図４に示すように、画像処理部２４１と、補正量取得部２４２と、突出量検出部２４３と、色取得部２４４と、補正量記憶部２４５とを備える。これら各構成要素２４１〜２４５は、図示しないバスにより接続され、必要な情報が伝送可能に構成されている。
【００３５】
画像処理部２４１は、例えば、ＧＰＵ(Graphics Processor Unit)等を含んで構成され、画像処理を実施するものであり、画像生成部２４６と、台形補正部２４７と、ビデオメモリ２４８と、マーカー設定部２４９を備える。
画面生成部としての画像生成部２４６は、ＰＣ（Personal Computer）等から入力される画像データ信号をサンプリングしてフレーム単位の画像データを生成する他、後述する台形補正部２４７による補正量を設定させる設定画面等を生成する。なお、画像生成部２４６により生成される設定画面については後に詳述する。
【００３６】
台形補正部２４７は、投射レンズ５による光学像の投射方向の傾斜によりスクリーン３に表示される画像に生じる台形歪みを補正するものである。具体的には、画像生成部２４６により生成された画像データに画像処理を実施して予め台形状に歪ませた画像データに変換する。そして、台形補正部２４７は、画像処理された画像データを、ビデオメモリ２４８に記憶させる。
なお、例えば、投射レンズ５による光学像の投射方向の傾斜によりスクリーン３に表示される画像に生じる台形歪みの歪み方向および歪み量と互いに打ち消し合うように、台形補正部２４７による補正量（画像データの歪み方向および歪み量）を設定することにより、スクリーン３に表示される画像を略矩形状とすることができる。
【００３７】
そして、画像処理部２４１は、ビデオメモリ２４８に記憶された画像データを画像投射手段２１に出力し、画像投射手段２１は、ビデオメモリ２４８に記憶された画像データに基づく光学像を形成してスクリーン３に拡大投射する。
【００３８】
マーカー設定部２４９は、記憶手段２３に記憶された補正量情報に基づいて、画像生成部２４６に、各調整脚部４３の突出量に応じた台形補正部２４７による補正量を示す補正用マーカー６１２（図５参照）を設定させるものである。なお、補正量情報は、後述する補正量記憶部２４５により記憶手段２３に記憶されるものである。また、補正量情報および補正用マーカー６１２については後に詳述する。
【００３９】
補正量取得部２４２は、操作パネル４１から出力される操作信号に基づいて台形補正部２４７による補正量を取得する。
突出量検出部２４３は、操作パネル４１から出力される操作信号に基づいて検出手段２２に各調整脚部４３の外装ケース４からの突出量を検出させる。
具体的には、検出手段２２により各調整脚部４３の突出量が検出されると、突出量検出部２４３は、この突出量に基づいて各調整脚部４３が外装ケース４から何段階目まで突出しているかを検出する。
【００４０】
標識取得部としての色取得部２４４は、突出量検出部２４３により検出された突出量に応じて露出色情報に関連付けられた色を取得する。
例えば、本実施形態では、色取得部２４４は、各調整脚部４３が外装ケース４から１段階目まで突出している場合には、青色を取得し、２段階目まで突出している場合には、緑色を取得する。
補正量記憶部２４５は、補正量取得部２４２により取得された補正量と、色取得部２４４により取得された色とを関連付けて記憶手段２３に補正量情報として記憶させる。
【００４１】
ここで、図５は、画像生成部２４６により生成される設定画面を示す図である。
設定画面６には、図５に示すように、スクロールバー６１およびマーカー設定ボタン６２が含まれている。
スクロールバー６１は、バー６１１を備え、このバー６１１の移動により、台形補正部２４７による補正量を変更するものである。スクロールバー６１は、画像生成部２４６により生成された画像データに画像処理を実施しない場合を０とし、＋方向（図５中右方向）を、スクリーン３に表示される画像の上側部分を長くし、下側部分を短くする歪み方向とし、−方向（図５中左方向）を、スクリーン３に表示される画像の上側部分を短くし、下側部分を長くする歪み方向としている。
また、スクリーン３に表示される画像の上側部分と下側部分との比率、すなわち、歪み量は、＋方向または−方向に移動すればするほど大きくなる。
【００４２】
マーカー設定ボタン６２は、各調整脚部４３の突出量に応じた台形補正部２４７による補正量を示す補正用マーカー６１２を設定するものである。
具体的には、プロジェクションシステム１の使用者による操作パネル４１の操作により、マーカー設定ボタン６２が押下されると、押下されたタイミングで、補正量取得部２４２は、台形補正部２４７による補正量を取得し、突出量検出部２４３は、検出手段２２に各調整脚部４３の外装ケース４からの突出量を検出させる。これにより、補正量記憶部２４５は、補正量情報を記憶手段２３に記憶させる。
【００４３】
そして、マーカー設定部２４９は、各調整脚部４３の突出量に応じた台形補正部２４７による補正量を示す補正用マーカー６１２を、記憶手段２３に記憶された補正量情報に基づいて、画像生成部２４６に設定させる。この際、補正用マーカー６１２は、色取得部２４４により取得された色で、補正量取得部２４２により取得された補正量に相当するスクロールバー６１の下部位置に設定される。
なお、本実施形態では、軸部４３１の各領域に付された色である青色、緑色、黄色、および赤色の補正用マーカー６１２を設定画面６に設定することができる。
【００４４】
ここで、マーカー設定ボタン６２が押下された際における各調整脚部４３の突出量の段階が同じ場合には、色取得部２４４により取得される色は１色であり、補正用マーカー６１２Ａ，６１２Ｂに示すように、補正用マーカー６１２は、１色で設定される。一方、マーカー設定ボタン６２が押下された際における各調整脚部４３の突出量の段階が異なる場合には、色取得部２４４により取得される色は、調整脚部４３Ｒの突出量に応じた露出色と、調整脚部４３Ｌの突出量に応じた露出色との２色であり、補正用マーカー６１２Ｃに示すように、補正用マーカー６１２は、２色で設定される。すなわち、補正量マーカー６１２Ｃの右側部分の色は、調整脚部４３Ｒの突出量に応じたものであり、左側部分の色は、調整脚部４３Ｌの突出量に応じたものである。
【００４５】
〔スクリーンの構成〕
スクリーン３には、図１に示すように、各調整脚部４３の突出量の各段階に応じた投射領域を示す投射領域用マーカー３１が、各調整脚部４３の突出量の各段階における露出色で投射領域の４隅位置に設定されている。
具体的には、各調整脚部４３の突出量を１段階目における突出量とした場合における投射領域を示す投射領域用マーカー３１Ｂは、１段階目の突出量における露出色である青色で設定されている。また、各調整脚部４３の突出量を２段階目における突出量とした場合における投射領域を示す投射領域用マーカー３１Ｇは、２段階目の突出量における露出色である緑色で設定されている。
なお、図１においては、その他の段階における突出量に応じた投射領域を示す投射領域用マーカーについては図示を省略している。
【００４６】
〔スクリーンに表示される画像の調整方法〕
次に、スクリーン３上に表示される画像の調整方法について説明する。
まず、プロジェクションシステム１の使用者は、プロジェクタ２の電源を投入してスクリーン３に光学像を投射させる。次に、プロジェクションシステム１の使用者は、スクリーン３に設定された投射領域用マーカー３１のうち、いずれか任意の投射領域用マーカーを選択する。そして、プロジェクションシステム１の使用者は、選択した投射領域用マーカー３１の色を確認し、各調整脚部４３を突没させて確認した色が露出する段階に突出量を調整する。
【００４７】
なお、以下の説明では、プロジェクションシステム１の使用者は、投射領域用マーカー３１Ｂを選択したものとする。したがって、投射領域用マーカー３１Ｂの色は、青色であるので、プロジェクションシステム１の使用者は、調整脚部４３Ｒ，４３Ｌを外装ケース４から突出させて青色４３１Ｂが露出する段階に突出量を調整する。
【００４８】
この状態において、プロジェクションシステム１の使用者は、操作パネル４１の操作ボタン４１１におけるメニューボタンを押下してメニュー画面（図示略）を開き、このメニュー画面において、更に操作パネル４１を操作することにより設定画面６を開く。
そして、プロジェクションシステム１の使用者は、操作パネル４１を操作することにより、設定画面６のスクロールバー６１のバー６１１を移動させる。
【００４９】
バー６１１を移動させて台形補正部２４７による補正量を変更させると、台形補正部２４７は、これに連動して画像データに画像処理を実施して台形状に歪ませた画像データに変換し、ビデオメモリ２４８に記憶させる。これにより、バー６１１の移動と連動してスクリーン３に表示される画像の台形補正が実施されるので、プロジェクションシステム１の使用者は、スクリーン３に表示される画像を見ながらバー６１１を移動させて画像を調整することができる。
以上の調整方法により、プロジェクションシステム１の使用者は、スクリーン３に表示される画像を任意の形状、例えば、略矩形状とすることができ、投射領域用マーカー３１Ｂが設定されている投射領域に光学像を投射させることができる。
【００５０】
〔補正用マーカーの設定処理〕
次に、補正用マーカー６１２の設定処理について図６を参照して説明する。
図６は、補正用マーカー６１２の設定処理を示すフローチャートである。
前述したスクリーン３に表示される画像の調整方法により、画像の調整が実施された状態において、プロジェクションシステム１の使用者によりマーカー設定ボタン６２が押下されると、操作パネル４１内部に配置される回路基板から制御手段２４に操作信号が出力され、制御手段２４は、以下のステップＳ１〜Ｓ４を実行する。
【００５１】
制御手段２４に操作信号が入力されると、補正量取得部２４２は、台形補正部２４７による補正量を取得する。具体的には、設定画面６にて設定されている補正量を取得する（ステップＳ１）。
また、補正量取得部２４２により補正量が取得されると、突出量検出部２４３は、検出手段２２に各調整脚部４３の外装ケース４からの突出量を検出させる（ステップＳ２）。すなわち、突出量検出部２４３は、各調整脚部４３が外装ケース４から１段階目まで突出してことを検出する。
【００５２】
突出量検出部２４３により突出量が検出されると、色取得部２４４は、この突出量に応じて露出色情報に関連付けられた色を取得する（ステップＳ３）。すなわち、色取得部２４４は、１段階目の突出量を示す情報に関連付けられた青色を取得する。
色取得部２４４により色が取得されると、補正量記憶部２４５は、補正量取得部２４２により取得された補正量と、色取得部２４４により取得された色を関連付けて記憶手段２３に補正量情報として記憶させる（ステップＳ４）。
【００５３】
以上のステップＳ１〜Ｓ４により、記憶手段２３に補正量情報が記憶される。そして、マーカー設定部２４９は、各調整脚部４３の突出量に応じた台形補正部２４７による補正量を示す補正用マーカー６１２を、補正量情報に基づいて、画像生成部２４６に設定させる。これにより、補正用マーカー６１２が設定画面６に設定される。
具体的には、補正用マーカー６１２は、色取得部２４４により取得された青色で、補正量取得部２４２により取得された補正量に相当するスクロールバー６１の下部位置、すなわち、プロジェクションシステム１の使用者によりマーカー設定ボタン６２が押下された際のバー６１１の下部位置に設定される。
【００５４】
なお、以上のステップＳ１〜Ｓ４により、補正用マーカー６１２を設定した場合には、記憶手段２３に補正量情報が記憶されているので、次回以降、投射領域用マーカー３１Ｂが設定されている投射領域に容易に光学像を投射させることができる。
すなわち、プロジェクションシステム１の使用者は、青色の補正用マーカー６１２により示される補正量を設定画面６にて設定することにより、前述したスクリーン３に表示される画像の調整方法を実施することなく、投射領域用マーカー３１Ｂが設定されている投射領域に容易に光学像を投射させることができる。
【００５５】
本実施形態に係るプロジェクションシステム１によれば、次のような効果がある。
（１）各調整脚部４３は、外装ケース４からの突出方向に沿って所定間隔ごとに複数の領域が設けられ、各領域には、それぞれ異なる色４３１Ｂ，４３１Ｇ，４３１Ｙ，４３１Ｒが付されているので、プロジェクションシステム１の使用者は、露出色を確認することにより、各調整脚部４３の突出量を容易に判断することができる。
（２）設定画面６には、各調整脚部４３の外装ケース４からの突出量に応じた補正量を示す補正用マーカー６１２が、この突出量に応じて露出色情報に関連付けられた色で設定されるので、プロジェクションシステム１の使用者は、露出色と同一の色の補正用マーカー６１２により示される補正量を設定画面６にて設定することにより、スクリーン３に表示される画像を容易に調整することができる。
【００５６】
（３）プロジェクタ２は、使用者による操作パネル４１の操作により、設定画面６に対して補正用マーカー６１２を設定することができるので、各調整脚部４３の外装ケース４からの突出量に対して使用者自らが入力した補正量を示す補正用マーカー６１２を設定画面６に設定することができる。
（４）スクリーン３には、各調整脚部４３の突出量の各段階に応じた投射領域を示す投射領域用マーカー３１が、各調整脚部４３の突出量の各段階における露出色で投射領域の４隅位置に設定されているので、プロジェクションシステム１の使用者は、露出色を確認することにより、任意の投射領域用マーカー３１が設定されている投射領域に光学像を投射させることができる。
【００５７】
〔実施形態の変形〕
なお、本発明は前記実施形態に限定されるものではなく、本発明の目的を達成できる範囲での変形、改良等は本発明に含まれるものである。
前記実施形態では、軸部４３１には、４つの領域が設けられていたが、２以上の領域が設けられていればよい。
前記実施形態では、軸部４３１の各領域には、それぞれ異なる色が付されていたが、例えば、２色の色を交互に各領域に付してもよく、要するに、各領域には、隣接する領域とは異なる色が付されていればよい。
前記実施形態では、標識として色を採用していたが、例えば、模様、数字等であってもよく、要するに、各領域を認識することができる標識であればよい。
【００５８】
前記実施形態では、プロジェクションシステム１の使用者による操作パネル４１の操作により、補正用マーカー６１２が設定画面６に設定されていたが、例えば、プロジェクタと、スクリーンとの位置関係が固定されている場合には、設定画面に補正用マーカーが初めから添付されていてもよい。要するに、設定画面に対して脚部の突出量に応じた補正量を示す補正用マーカーが添付されていればよい。
【００５９】
前記実施形態では、プロジェクタ２は、各調整脚部４３が２箇所に設けられていたが、例えば、１箇所に設けられていてもよく、さらには、３箇所以上に設けられていてもよい。要するに、脚部を筐体から突没させることにより、光学像の投射方向を傾斜させることができればよい。
前記実施形態では、各調整脚部４３は、外装ケース４からの突出量が段階的に調整できるように構成していたが、連続的に調整できるように構成してもよく、要するに、筐体からの突出量を調整することができるように構成すればよい。
【００６０】
前記実施形態では、各調整脚部４３は、調整ボタン４４を押下することにより外装ケース４から突没自在に構成されていたが、これ以外の構成により突没自在に構成してもよい。例えば、特許文献１に記載のプロジェクタのように、ねじ軸を有する脚部を設け、ねじ軸を回転させることにより脚部を筐体から突没自在に構成してもよい。
前記実施形態では、スクリーン３には、投射領域用マーカーが添付されていたが、投射領域用マーカーが添付されていない通常のスクリーン等によりプロジェクションシステムを構成してもよい。
【００６１】
前記実施形態では、透過型の液晶パネル２１２を採用していたが、これに限らず、反射型の液晶パネルを採用してもよく、あるいは、デジタルマイクロミラーデバイス（ＤＭＤ）を採用してもよい。なお、ＤＭＤは米国テキサスインスツルメンツ社の商標である。
前記実施形態では、液晶パネル２１２を３枚設けた構成としていたが、これに限らず、１枚のみの液晶パネル２１２を設ける構成、２枚の液晶パネル２１２を設ける構成、４枚以上の液晶パネル２１２を設ける構成としてもよい。
【産業上の利用可能性】
【００６２】
本発明は、スクリーンに対する位置関係が固定されたプロジェクタおよびプロジェクションシステムに特に好適に利用することができる。
【図面の簡単な説明】
【００６３】
【図１】本発明の一実施形態に係るプロジェクションシステムの外観を示す模式図。
【図２】前記実施形態におけるプロジェクタを上方前面側から見た斜視図。
【図３】前記実施形態における調整脚部を外装ケースから突出させた状態を示す図。
【図４】前記実施形態におけるプロジェクタの概略構成を示すブロック図。
【図５】前記実施形態における画像生成部により生成される設定画面を示す図。
【図６】前記実施形態における補正用マーカーの添付方法を示すフローチャート。
【符号の説明】
【００６４】
１…プロジェクションシステム、２…プロジェクタ、３…スクリーン、４…外装ケース（筐体）、５…投射レンズ（投射光学装置）、６…設定画面、２２…検出手段、２３…記憶手段、２４…制御手段、３１，３１Ｂ，３１Ｇ…投射領域用マーカー、４１…操作パネル（操作手段）、４４…調整脚部（脚部）、２１１…光源装置、２１２…液晶パネル（光変調装置）、２４１…画像処理部、２４２…補正量取得部、２４４…色取得部（標識取得部）、２４５…補正量記憶部、２４６…画像生成部（画面生成部）、２４７…台形補正部、２４９…マーカー設定部、４３１Ｂ…青色、４３１Ｇ…緑色、４３１Ｙ…黄色、４３１Ｒ…赤色、６１２，６１２Ａ，６１２Ｂ，６１２Ｃ…補正用マーカー。
【図１】
2008209472.tif 000003
【図２】
2008209472.tif 000004
【図３】
2008209472.tif 000005
【図４】
2008209472.tif 000006
【図５】
2008209472.tif 000007
【図６】
2008209472.tif 000008